(57)【要約】【課題】複数の所見報告書の中から注目したい部分を効率良く閲覧する。【解決手段】情報管理システム１００によれば、一人の患者に対して複数の検査が行われ、当該検査毎に複数の所見情報が蓄積されている場合に、情報管理装置１は、複数の所見情報から所望の所見情報を選択させると共に、注目したい部分を適切に抽出するための要約キーワードを入力させ、入力された要約キーワードに基づいて、選択された所見情報から要約レポートを作成する。【選択図】図１
2005148991.tif 000002
【特許請求の範囲】
【請求項１】
医師が作成した患者の所見情報を管理する情報管理装置において、
患者情報に対応する所見情報を取得する取得手段と、
キーワード及び要約レポートを作成する対象となる所見情報の識別情報のうち少なくとも一方を入力させる入力制御手段と、
前記キーワード及び所見情報の識別情報のうち少なくとも一方に基づいて、前記取得した所見情報から要約レポートを作成する要約レポート作成手段と、
を備えることを特徴とする情報管理装置。
【請求項２】
医師が作成した所見情報を患者情報に対応付けて保存するデータベースを備え、
前記データベースは、前記所見情報の要約レポートを患者情報に対応付けて保存することを特徴とする請求項１記載の情報管理装置。
【請求項３】
前記入力制御手段は、前記キーワードに対応する重み付けに関する情報を入力させ、
前記要約レポート作成手段は、前記キーワード及び重み付けに関する情報に基づいて、前記所見情報から要約レポートを作成することを特徴とする請求項１又は２記載の情報管理装置。
【請求項４】
医師が作成した患者の所見情報を管理するサーバと、前記所見情報を取得する情報管理装置とがネットワークを介して接続される情報管理システムにおいて、
前記サーバは、
患者情報に対応付けて所見情報を保存するデータベースと、
患者情報に対応する所見情報を前記データベースから検索する検索手段と、
前記データベースから検索された所見情報を取得して送信する送信手段と、を備え、
前記情報管理装置は、
患者情報に対応する所見情報を受信する受信手段と、
キーワード及び要約レポートを作成する対象となる所見情報の識別情報うち少なくとも一方を入力させる入力制御手段と、
前記キーワード及び所見情報の識別情報のうち少なくとも一方に基づいて、前記受信した所見情報から要約レポートを作成する要約レポート作成手段と、
を備えることを特徴とする情報管理システム。
【請求項５】
前記情報管理装置は、
作成された要約レポート及び患者情報を送信する送信手段を備え、
前記サーバは、
前記要約レポート及び患者情報を受信する受信手段を備え、
前記データベースは、前記患者情報に対応付けて要約レポートを保存することを特徴とする請求項４記載の情報管理システム。
【請求項６】
前記情報管理装置において、
前記入力制御手段は、前記キーワードに対応する重み付けに関する情報を入力させ、
前記要約レポート作成手段は、前記キーワード及び重み付けに関する情報に基づいて、前記所見情報から要約レポートを作成することを特徴とする請求項４又は５記載の情報管理システム。
【発明の詳細な説明】
【技術分野】
【０００１】
本発明は、医師により作成された所見情報を管理する情報管理装置及び情報管理システムに関する。
【背景技術】
【０００２】
医療の分野では、患者を診察した際に作成されるカルテや検査で撮影されたＸ線画像、血圧、血糖値等の測定結果を電子情報として保存する、いわゆる電子カルテが実現されている。病院内で診療を受けている全ての患者に対して電子カルテを作成し、患者及びその診療状況を電子カルテにて管理することにより、病院内の異なる診療科間でも情報を共有化が図れると共に、患者毎のカルテの内容を容易に参照することができるようになっている。
【０００３】
このような電子カルテにおいて、医師が所見報告書を作成する場合、例えば、画像サーバから患者の患部画像を取得し、この患部画像を参照しながら、所見報告書の作成を行う。そこで、医師がどの患部画像を参照して所見報告書を作成したかを明確にするため、参照した患部画像と、所見報告書とを相互に関連付けて管理する医用所見管理システムが知られている（例えば、特許文献１参照）。この医用所見管理システムによれば、電子カルテに蓄積されるデータを効率良く利用することができる。
【特許文献１】特開２００１−１５５０９９号公報
【発明の開示】
【発明が解決しようとする課題】
【０００４】
ところで、通常、一人の患者に対しては、複数の検査が行われ、各検査や検査部位に基づく所見報告書がそれぞれ作成されるため、電子カルテに蓄積される所見報告書は膨大な量となる。しかしながら、医師が患者を診察する際は、一通りの所見報告書に目を通さなければならず、特に治療期間の長い患者の診断には、カルテを参照するだけでかなりの時間を要するという問題があった。
【０００５】
本発明の課題は、複数の所見報告書の中から注目したい部分を効率良く閲覧することができる情報管理装置及び情報管理システムを提供することである。
【課題を解決するための手段】
【０００６】
上記課題を解決するために、請求項１記載の発明は、
医師が作成した患者の所見情報を管理する情報管理装置において、
患者情報に対応する所見情報を取得する取得手段と、
キーワード及び要約レポートを作成する対象となる所見情報の識別情報のうち少なくとも一方を入力させる入力制御手段と、
前記キーワード及び所見情報の識別情報のうち少なくとも一方に基づいて、前記取得した所見情報から要約レポートを作成する要約レポート作成手段と、
を備えることを特徴としている。
【０００７】
請求項２記載の発明は、請求項１記載の情報管理装置において、
医師が作成した所見情報を患者情報に対応付けて保存するデータベースを備え、
前記データベースは、前記所見情報の要約レポートを患者情報に対応付けて保存することを特徴としている。
【０００８】
請求項３記載の発明は、請求項１又は２記載の情報管理装置において、
前記入力制御手段は、前記キーワードに対応する重み付けに関する情報を入力させ、
前記要約レポート作成手段は、前記キーワード及び重み付けに関する情報に基づいて、前記所見情報から要約レポートを作成することを特徴としている。
【０００９】
請求項４記載の発明は、
医師が作成した患者の所見情報を管理するサーバと、前記所見情報を取得する情報管理装置とがネットワークを介して接続される情報管理システムにおいて、
前記サーバは、
患者情報に対応付けて所見情報を保存するデータベースと、
患者情報に対応する所見情報を前記データベースから検索する検索手段と、
前記データベースから検索された所見情報を取得して送信する送信手段と、を備え、
前記情報管理装置は、
患者情報に対応する所見情報を受信する受信手段と、
キーワード及び要約レポートを作成する対象となる所見情報の識別情報うち少なくとも一方を入力させる入力制御手段と、
前記キーワード及び所見情報の識別情報のうち少なくとも一方に基づいて、前記受信した所見情報から要約レポートを作成する要約レポート作成手段と、
を備えることを特徴としている。
【００１０】
請求項５記載の発明は、請求項４記載の情報管理システムにおいて、
前記情報管理装置は、
作成された要約レポート及び患者情報を送信する送信手段を備え、
前記サーバは、
前記要約レポート及び患者情報を受信する受信手段を備え、
前記データベースは、前記患者情報に対応付けて要約レポートを保存することを特徴としている。
【００１１】
請求項６記載の発明は、請求項４又は５記載の情報管理システムにおいて、
前記情報管理装置において、
前記入力制御手段は、前記キーワードに対応する重み付けに関する情報を入力させ、
前記要約レポート作成手段は、前記キーワード及び重み付けに関する情報に基づいて、前記所見情報から要約レポートを作成することを特徴としている。
【発明の効果】
【００１２】
請求項１又は４記載の発明によれば、患者の所見情報からキーワード及び要約レポートを作成する対象となる所見情報の識別情報のうち少なくとも一方に基づいて、所見情報から要約レポートが作成されるため、医師は患者の診断に必要となる所見情報の全てを参照する必要がなく、効率よく患者の所見情報を参照して、診断を行うことができる。また、キーワードを入力させたり、要約を作成する対象となる所見情報を選択させることにより、医師が注目したい部分を適切に抽出して、重要な部分が欠落することなく要約レポートを作成することができる。
【００１３】
請求項２又は５記載の発明によれば、作成された要約レポートを保存することができるため、過去に作成した要約レポートを再度参照する場合、速やかに要約レポートを取得して参照することができる。
【００１４】
請求項３又は６記載の発明によれば、要約レポートを作成する際に必要となるキーワードに対応させて重み付けに関する情報を入力させ、キーワード及び重み付けに関する情報に基づいて、所見情報から要約レポートを作成することができるため、医師の関心の高い部分を適切にまとめた要約レポートを作成することができ、診断効率を向上させると共に、診断精度を向上させることができる。
【発明を実施するための最良の形態】
【００１５】
以下、図１〜図７を参照して本発明を実施するための最良の形態について説明する。ただし、発明の範囲は、図示例に限定されない。
【００１６】
まず、本実施の形態の構成を説明する。
図１は、本実施の形態における情報管理システム１００のシステム構成を示す図である。図１に示すように、情報管理システム１００は、情報管理装置１と、サーバ２とがネットワークＮを経由して相互に情報の送受信が可能なように接続され、診断に利用する所見情報や医用画像の取得、蓄積、利用、管理を行うシステムである。なお、各装置の設置台数は図示した例に限定されず、任意に設置可能である。
【００１７】
ネットワークＮは、病院等の建物内、又は病院間に構築されたＬＡＮ（Local Area Network）やＷＡＮ（Wide Area Network）等の情報通信網である。具体的には、ＵＳＢ（Universal Serial Bus）、ＲＳ−２３２、ＳＳ（Single Star）無線、ＰＨＳ回線等により構成されている。ここで、回線形態は、環形として図示したが線形としても良く、回線形態は任意である。また、各装置間の接続は有線、無線を問わない。ただし、情報管理の信頼性の観点から、特定の利用者のみがアクセス可能なセキュリティが確保されているネットワークであることが望ましい。
【００１８】
情報管理装置１は、病院内業務に係る各種情報（例えば、患者情報、所見情報、医用画像等）をサーバ２から取得して、各種情報を利用する装置である。また、サーバ２は、病院内業務に係る各種情報を取得して、取得した情報を患者情報に基づいて蓄積、管理する装置である。図２〜図３を参照して、情報管理装置１及びサーバ２の構成について詳細に説明する。
【００１９】
まず、情報管理装置１の構成を説明する。
図２は、情報管理装置１の機能的構成を示すブロック図である。図１に示すように、情報管理装置１は、ＣＰＵ１１、表示部１２、入力部１３、通信部１４、ＲＡＭ１５、記憶部１６等を備えて構成され、各部はバス１７により接続されている。
【００２０】
ＣＰＵ１１は、記憶部１６に記憶されているシステムプログラムや各種制御プログラムを読み出し、ＲＡＭ１５に展開し、該制御プログラムに従って各部の動作を集中制御する。また、ＣＰＵ１１は、ＲＡＭ１５に展開したプログラムに従って各種処理を実行し、その処理結果をＲＡＭ１５に一時記憶させるとともに、表示部１２に表示させる。
【００２１】
具体的に、ＣＰＵ１１は、記憶部１６から所見情報参照処理プログラムを読み出して、後述する所見情報参照処理（図４（ａ）参照）を実行する。なお、処理の詳細については後述する。
【００２２】
表示部１２は、ＬＣＤ（Liquid Crystal Display）やＣＲＴ（Cathode Ray Tube）等により構成され、ＣＰＵ１１から入力される表示信号の指示に従って、入力部１３からの入力指示やデータ等を表示する。
【００２３】
入力部１３は、カーソルキー、数字入力キー、及び各種機能キー等を備えたキーボードを含み、このキーボードで押下されたキーに対応する押下信号をＣＰＵ１１に出力する。なお、入力部１３は、必要に応じてマウス、タッチパネル等のポインティングデバイスや、その他の入力装置を備えることとしてもよい。
【００２４】
通信部１４は、ＬＡＮアダプタやルータやＴＡ（Terminal Adapter）等によって構成され、専用線、或いはＩＳＤＮ回線等の通信回線を介してネットワークＮに接続された各装置との間の通信を制御する。具体的に、通信部１４は、ネットワークＮを介して、所見情報の要求指示の送信や、サーバ２から送信される所見情報や医用画像の受信を制御する。
【００２５】
ＲＡＭ１５は、ＣＰＵ１１により実行制御される各種処理において、記憶部１６から読み出されたＣＰＵ１１で実行可能なシステムプログラム、制御プログラム、入力若しくは出力データ、及びパラメータ等の一時的に記憶する記憶領域を形成する。
【００２６】
記憶部１６は、ＨＤＤ（Hard Disc Drive）や不揮発性の半導体メモリ等により構成され、ＣＰＵ１１で実行されるシステムプログラム、当該システムプログラムに対応する各種処理プログラム、及び処理結果等を記憶する。また、プログラムやデータが予め記憶された記録媒体（図示省略）を有しており、この記録媒体は、磁気的、光学的記録媒体、若しくは半導体メモリで構成され、記憶部１６に固定的、或いは着脱自在に装着するものである。これらの各種プログラムは、読取可能なプログラムコードの形態で格納され、ＣＰＵ１１は、当該プログラムコードに従った動作を逐次実行する。
【００２７】
次に、サーバ２の構成を説明する。
図３は、サーバ２の機能的構成を示すブロック図である。図３に示すように、サーバ２は、ＣＰＵ２１、ＲＡＭ２２、通信部２３、データベース（以下、「ＤＢ」と記す）２４等を備えて構成され、各部はバスにより接続されている。
【００２８】
ＣＰＵ２１は、通信部２３を介して情報管理装置１から受信した要求指示に応じてＤＢ２４から指定された各種情報を取得し、要求先へ配信する制御を行う。具体的に、ＣＰＵ２１は、図示しないプログラムＲＯＭから所見情報送信処理プログラムを読み出して、後述する所見情報送信処理（図４（ｂ）参照）を実行する。
【００２９】
ＲＡＭ２２は、通信部２４を介して受信した要求指示や、ＤＢ２４から取得した各種情報を所定のワークエリアに一時的に記憶する。
【００３０】
通信部２３は、ＬＡＮ、ＷＡＮ、あるいはインターネット等のネットワークＮに接続された伝送媒体に接続可能なインタ−フェ−スである。通信部２３は、モデムまたはターミナルアダプタ等によって構成され、電話回線、ＩＳＤＮ回線、無線通信回線、専用線、ＣＡＴＶ回線等の通信回線を介して外部機器との通信を行うための制御を行う。
【００３１】
ＤＢ２４は、あらかじめ定義された形式により情報を格納することにより、情報を統括的に集積して管理するものである。具体的に、ＤＢ２４は、患者情報に対応付けて、医師により作成された所見情報や患者を撮影した医用画像を格納、管理している。ここで、患者情報には、患者の氏名、患者ＩＤ（患者を一義的に識別するためのＩＤ）、性別等が含まれている。また、所見情報には、所見情報ＩＤ（所見情報を一義的に識別するためのＩＤ）、所見情報テキスト、作成医師名（ＩＤ）、作成日時、関連する医用画像ＩＤ等が含まれている。さらに、医用画像には、患者を撮影した画像データ、医用画像ＩＤ、撮影日時、撮影条件、患者情報等が含まれている。
【００３２】
次に、本実施の形態の動作を説明する。
なお、後述するフローチャートに記述されている各機能を実現するためのプログラムはコンピュータが読み取り可能なプログラムコードの形態で情報管理装置１の記憶部１６又はサーバ２のプログラムＲＯＭ（図示せず）に格納されており、情報管理装置１のＣＰＵ１１又はサーバ２のＣＰＵ２１は、当該プログラムコードに従った動作を逐次実行する。
【００３３】
図４を参照して、情報管理装置１及びサーバ２との間で実行される所見情報参照処理及び所見情報送信処理について説明する。図４（ａ）は、情報管理装置１のＣＰＵ１１により実行される所見情報参照処理を示すフローチャートである。図４（ａ）に示すように、ＣＰＵ１１は、入力部１３を介して、所見情報の参照指示と共に、参照したい患者の患者情報（例えば、患者ＩＤ、患者氏名等）が入力されると（ステップＳ１）、ＣＰＵ１１は、所見情報の要求指示と共に、入力された患者情報をサーバ２に送信する（ステップＳ２）。
【００３４】
次いで、ＣＰＵ１１は、通信部１４を制御して、サーバ２から所見情報を受信すると（ステップＳ３）、受信した所見情報を記憶部１６に格納すると共に、所見情報リストを作成して、表示部１２に所見情報リストを表示させる（ステップＳ４）。図５を参照して、表示部１２に表示される所見情報リストついて説明する。
【００３５】
図５は、表示部１２に表示される所見情報リスト画面の一例を示す図である。図５に示すように、所見情報リスト画面１２１には、患者の識別情報として患者ＩＤを表示する領域１２１ａと、所見情報の識別情報として所見情報ＩＤを表示する領域１２１ｂと、所見情報に対応する画像データがある場合に、画像データのアイコンを表示する領域１２１ｃが設けられている。また、画面左下には、要約レポートの作成指示を入力するためのボタン１２１ｄが設けられている。
【００３６】
具体的に、領域１２１ａには、患者ＩＤとして「00101」が表示され、領域１２１ｂには、患者ＩＤに対応する所見情報ＩＤとして、「CR-200303251125」、「CT-200303251203」、「CT-200308111622」が表示され、領域１２１ｃには対応する画像データのアイコンが表示されている。なお、各所見情報ＩＤがクリックされると、対応する所見情報が表示部１２に表示される構成となっている。また、領域１２１ｃに表示されている画像データのアイコンがクリックされると、サーバ２に画像データの要求指示が送信され、対応する画像データが取得されて表示部１２に表示される構成となっている。さらに、ボタン１２１ｄがクリックされると、要約レポートを作成するための要約キーワード入力画面（図６）が表示される構成となっている。
【００３７】
図４に戻り、所見情報リスト画面１２１において、要約レポート作成指示が入力されず（ステップＳ５；ＮＯ）、所見情報ＩＤが入力（クリック）された場合（ステップＳ１０）、ＣＰＵ１１は、入力された所見情報ＩＤに対応する所見情報を記憶部１６から取得して表示部１２に表示させる（ステップＳ１１）。一方、要約レポートの作成指示が入力された場合（ステップＳ５；ＹＥＳ）、ＣＰＵ１１は、要約キーワード入力画面を表示部１２に表示させて、要約キーワード及び要約の対象となる所見情報ＩＤを入力させる（ステップＳ６）。図６を参照して、要約キーワード入力画面について説明する。
【００３８】
図６は、要約キーワード及び所見情報ＩＤを入力するための要約キーワード入力画面の一例を示す図である。図６に示すように、要約キーワード入力画面１２２は、要約を作成する際に必要となるキーワードを入力する項目１２２ａと、要約の対象となる所見情報を指定するためのチェックボックス１２２ｂ、要約の対象となる所見情報の所見情報ＩＤを表示する領域１２２ｃが設けられている。また、画面左下には、要約レポートを作成する指示を入力するボタン１２２ｄが設けられている。
【００３９】
具体的に、項目１２２ａには、医師により、例えば、「脳」、「出血」等の単語が入力される。なお、入力される要約キーワードは、単語に限らず記号、数値、文章等であってもよい。また、領域１２２ｃに表示されている所見情報ＩＤに対応するチェックボックス１２２ｂがチェックされることにより、対応する所見情報が要約の作成対象として選択される。さらに、ボタン１２２ｄがクリックされることにより、入力された要約キーワード及び要約の作成対象として選択された所見情報ＩＤに基づいて、要約レポートが作成される。
【００４０】
図４に戻り、ＣＰＵ１１は、要約キーワード入力画面１２２において入力された要約キーワード及び所見情報ＩＤに基づいて、要約レポートを作成する（ステップＳ７）。ここで、要約レポートの作成方法について説明する。例えば、要約レポートの作成対象として選択された所見情報として、以下の２つの所見情報が選択された場合について説明する。
【００４１】
『レポート１』
検査日時：２００３／３／２５
所見レポート：左大脳基底核に帯状低濃度域があり、古い脳出血の吸収後瘢痕と考えられる。右中大脳動脈水平部のdensityが高く、新鮮な血栓の存在が示唆される。この時点では中大脳動脈領域に明らかな梗塞巣は観察できない。
『レポート２』
検査日時：２００３／８／１１
所見レポート：右半球に広範な低濃度化が明らかとなってきている。脳回に沿って高吸収域を伴っており、皮質の出血性梗塞が示唆される。さらに、穿通枝領域にもmass effectを伴う出血を合併している。右中大脳動脈水平部の血栓が末梢へ移動したため穿通枝が再開通し、出血性梗塞を招いたものと思われる。
【００４２】
以上の所見情報に対して、要約キーワードとして設定された「脳」，「出血」の単語が抽出され、これら単語を含む文章に対して要約が行われる。作成される要約レポートの例を以下に示す。
検査日時：２００３／３／２５
要約レポート：左大脳基底核に帯状低濃度域があり。古い脳出血の吸収後瘢痕。右中大脳動脈水平部のdensity高い。新鮮な血栓の存在示唆。
検査日時：２００３／８／１１
要約レポート：右半球に広範な低濃度化。皮質の出血性梗塞が示唆。穿通枝領域にmass effectを伴う出血。
【００４３】
そして、ＣＰＵ１１は、作成した要約レポートを表示部１２に表示させる（ステップＳ８）。図７を参照して、表示部１２に表示される要約レポートについて説明する。図７は、要約レポートを表示する要約レポート画面の一例を示す図である。図７に示すように、要約レポート画面１２３は、患者の識別情報として患者ＩＤを表示する領域１２３ａと、要約レポートを表示する領域１２３ｂが設けられている。また、画面左下には、要約レポートを保存する指示を入力するボタン１２３ｃが設けられている。
【００４４】
具体的に、領域１２３ａには、患者ＩＤとして「00101」が表示され、領域１２３ｂには、検査日時、検査種類、要約レポートがそれぞれ表示されている。また、ボタン１２３ｃがクリックされると、作成された要約レポートが記憶部１６に記憶される構成となっている。
【００４５】
図４に戻り、要約レポート画面１２３が表示され（ステップＳ８）、要約レポートを保存する指示が入力された後、所見情報の参照を終了する指示が入力されると（ステップＳ９：ＹＥＳ）、ＣＰＵ１１は、要約レポートを患者ＩＤに対応付けて記憶部１６に格納させ、本所見情報参照処理を終了する。また、要約レポートを保存せずに、所見情報の参照を終了する指示が入力された場合（ステップＳ９；ＹＥＳ）、要約レポートを保存せずに本所見情報参照処理を終了する。一方、引き続き所見情報を参照する指示が入力された場合（ステップＳ９；ＮＯ）、ＣＰＵ１１は、ステップＳ１に移行して、上述した処理を繰り返して実行する。
【００４６】
次に、上述した所見情報参照処理の実行に伴い、サーバ２により実行される所見情報送信処理について説明する。図４（ｂ）は、サーバ２のＣＰＵ２１により実行される所見情報送信処理を示すフローチャートである。図４（ｂ）に示すように、ＣＰＵ２１は、情報管理装置１から所見情報の要求指示とともに患者情報（例えば、患者ＩＤ、患者氏名等Ｄ）が送信されると、通信部２３を制御して、所見情報の要求指示及び患者情報を受信する（ステップＳ２１）。
【００４７】
次いで、ＣＰＵ２１は、受信した患者情報に基づいて、対応する患者の所見情報をデータベース２４から検索する（ステップＳ２２）。続いて、ＣＰＵ２１は、検索した所見情報を取得し、通信部２３を制御して、所見情報の要求指示を送信した情報管理装置１に所見情報を送信する（ステップＳ２３）。そして、ＣＰＵ２１は、本所見情報送信処理を終了する。
【００４８】
以上のように、本実施の形態によれば、一人の患者に対して複数の検査が行われ、当該検査毎に複数の所見情報が蓄積されている場合に、複数の所見情報から所望の所見情報を選択させると共に、注目したい部分を適切に抽出するための要約キーワードを入力させ、入力された要約キーワードに基づいて、選択された所見情報から要約レポートを作成する。
【００４９】
したがって、医師は患者を診断する際に、複数の所見情報のうち全てを参照することなく、注目したい部分が適切に抽出された要約レポートを参照することにより、効率良く患者の過去の所見情報を把握して、診断を行うことができる。これにより、例えば、長期間の経過観察が必要とされる患者について要約レポートを作成し、長期間における症状の変化を適切に認識することができる。また、所見情報の概要を把握した上で、必要な所見情報の詳細を参照したり、画像データを参照することができるため、大要を効率よく把握すると共に、必要な箇所については、詳細な情報を参照することができる。この結果、診断効率を向上させると共に、診断精度を向上させることができる。
【００５０】
なお、本実施の形態における記述は、本発明に係る情報管理装置及び情報管理システムの一例を示すものであり、これに限定されるものではない。本実施の形態における情報管理装置１、サーバ２、情報管理システム１００の細部構成および詳細動作に関しては、本発明の趣旨を逸脱しない範囲で適宜変更可能である。
【００５１】
例えば、本実施の形態においては、複数台の情報管理装置１と、サーバ２とを備える情報管理システム１００により、本発明が実現される構成として説明を行ったが、情報管理装置１にデータベースを備え、情報管理装置１がスタンドアローンで処理を行う構成であってもよい。この構成によれば、例えば、院内ネットワークが構築されていない小型施設において、システム構築に係るコストを必要とせずに、本発明を実現することができる。
【００５２】
また、本実施の形態において説明した所見情報及び要約レポートの態様は一例であり、種々の所見情報に基づいて、要約レポートを作成する構成であってよい。さらに、本実施の形態においては、入力された要約キーワードに基づいて要約レポートを作成する構成として説明を行ったが、要約キーワードは必ずしも入力されていなくてもよい。例えば、要約キーワードが入力されない場合は、選択された所見情報から要約レポートを作成する構成であってもよい。さらに、複数のキーワードが入力された場合、重要なキーワードに重み付けを行い、キーワードの重み付けに応じて要約レポートを作成する構成であってもよい。また、所見情報の識別情報として所見情報ＩＤを一例として説明を行ったが、これに限らず、例えば、撮影日時等を入力させて、作成対象となる所見情報を選択させる構成であってもよい。
【００５３】
また、本実施の形態において、サーバ２は、所見情報の要求指示を受信した場合、患者情報に基づいて所見情報を検索し、検索した所見情報を取得して情報管理装置１に送信する場合を例として説明を行ったが、サーバ２が検索された所見情報について所見情報リストを作成し、所見情報リストを情報管理装置１に送信する構成であってもよい。この場合、所見情報リストを受信した情報管理装置１において、要約レポートの作成対象となる所見情報ＩＤが入力され、当該所見情報ＩＤがサーバ２に送信されると、サーバ２は、対応する所見情報を取得して、情報管理装置１に送信する。この構成によれば、要約レポートの作成対象となる所見情報のみを情報管理装置１に送信することができるため、通信コスト及び通信に係る時間を低減させることができる。
【００５４】
さらに、作成された要約レポートを保存する指示が入力された場合、情報管理装置１の記憶部１６に患者情報と対応付けて要約レポートを格納させる場合を例として説明したが、例えば、情報管理装置１は、保存指示と共に、要約レポート及び患者情報をサーバ２に送信し、サーバ２は、要約レポート及び患者情報を受信して、患者情報に対応付けて要約レポートをデータベースに保存、管理する構成であってもよい。この構成によれば、サーバ２のデータベース２４において、所見情報及び要約レポートを一括して管理することができる。
【００５５】
その他、本実施の形態における情報管理装置を構成する細部構成、及び細部動作に関しても、本発明の趣旨を逸脱することのない範囲で適宜変更可能である。
【図面の簡単な説明】
【００５６】
【図１】本発明を適用した実施の形態における情報管理システム１００のシステム構成を示す図である。
【図２】図１に示す情報管理装置１の機能的構成を示すブロック図である。
【図３】図１に示すサーバ２の機能的構成を示すブロック図である。
【図４】（ａ）図２に示すＣＰＵ１１により実行される所見情報参照処理を示すフローチャートである。（ｂ）図３に示すＣＰＵ２１により実行される所見情報送信処理を示すフローチャートである。
【図５】情報管理装置１の表示部１２に表示される所見情報リスト画面１２１を示す図である。
【図６】情報管理装置１の表示部１２に表示される要約キーワード入力画面１２２を示す図である。
【図７】情報管理装置１の表示部１２に表示される要約レポート画面１２３を示す図である。
【符号の説明】
【００５７】
１  情報管理装置
１１  ＣＰＵ
１２  表示部
１３  入力部
１４  通信部
１５  ＲＡＭ
１６  記憶部
１７  バス
２  サーバ
２１  ＣＰＵ
２２  ＲＡＭ
２３  通信部
２４  データベース
１００  情報管理システム
Ｎ  ネットワーク
【図１】
2005148991.tif 000003
【図２】
2005148991.tif 000004
【図３】
2005148991.tif 000005
【図４】
2005148991.tif 000006
【図５】
2005148991.tif 000007
【図６】
2005148991.tif 000008
【図７】
2005148991.tif 000009